(57)【要約】【課題】  機械的寿命の向上や高速印刷時の紙受け渡しの精度や安定性を向上させることができるオフセット印刷機用スイングストッパー機構の提供。【解決手段】  爪開閉機構には、渡胴のＲ側軸端で固定して取り付けられた原動ギヤと爪開閉カム、レバー付軸に固定して取り付けられた駆動レバー４，５及びカム付軸に取り付けられたレバー付カムを含む。紙送り保護機構には、ストッパー付エアーシリンダー１６、Ｖ型レバー１５、止付連結ロッド１４及び止付レバー２７を含む。Ｖ型レバー１５は、支持ピン３１を介してＲ側フレーム２９の裏側に取り付けられる。Ｖ型レバー１５の軸端とストッパー付エアーシリンダー１６のピストン付ロッドを連結して、もう一方の軸端と止付連結ロッド１４を連結する。止付連結ロッド１４のもう一方の軸端と止付レバー２７を連結して、止付レバー２７のもう一方の軸端をカム付軸１３に固定して取り付ける。【選択図】    図６
2015168213.tif 000002
【特許請求の範囲】
【請求項１】
Ｒ側とＬ側のフレームの間に取り付けられる渡胴と、
前記Ｒ側フレームとＬ側フレームの間に取り付けられたスイング元軸と、該スイング元軸の両端に固定して取り付けられたスイングレバーと、該スイングレバーのもう一方の軸端に取り付けられた爪台取付板及び爪軸と、該爪台取付板に多数間隔で取り付けられた爪台と、該爪軸にセットされて該爪台と対応する複数のスイング爪及び該爪軸のＲ側に取り付けられた爪開閉コロを含むスイング機構と、
前記渡胴のＲ側軸端に固定して取り付けられる原動ギヤ及び共役曲線になる外周局面の主カムと補助カムで構成される爪開閉カムと、レバー付軸に固定して取り付けられて一方の軸端が該爪開閉カムの主カムの外周曲面と補助カムの外周曲面に対応してそれぞれ当接する駆動レバーを含む爪開閉機構と、
前記Ｒ側フレームの裏側に取り付けられ前記スイング爪と爪台とを閉じないことで紙を咥えないようにした紙送り保護機構と、を備えたオフセット印刷機のスイングストッパー機構において、
前記爪開閉機構は、
一方の軸端が前記レバー付軸に固定して取り付けられる中間レバーと、
一方の軸端が前記中間レバーのもう一方の軸端に連結される連結ロッドと
回転センターに一方の軸端のそれぞれが連結され、もう一方の軸端が前記連結ロッドのもう一方の軸端に連結される後部と、もう一方の軸端に前記爪開閉コロを挟み込んで転がすアーク溝が形成された先端部とからなるレバー付カムと、
前記レバー付カムの回転センターに連結され該回転センターと幾何センターが同心であるエキセン付軸のカム付軸と、からなり、
前記紙送り保護機構は、
ピストン付ロッドを有するストッパー付エアーシリンダーと、
支持ピンを介して取り付けられ前記ピストン付ロッドに一方の軸端が連結されもう一方の軸端に止付連結ロッドの一方の軸端が連結されるＶ型レバーと、
該止付連結ロッドのもう一方の軸端に一方の軸端が連結される止付レバーと、からなり、
該止付レバーのもう一方の軸端は、前記カム付軸に固定して取り付けられる、
ことを特徴とするオフセット印刷機のスイングストッパー機構。
【請求項２】
前記Ｒ側フレームの表面にカバー付ブラケットを取り付け、前記渡胴のＲ側軸端及びスイング元軸のＲ側軸端をそれぞれ前記Ｒ側フレームに通して前記カバー付ブラケットの取付板に取り付け、前記レバー付軸及び駆動軸をそれぞれ前記Ｒ側フレームと前記カバー付ブラケットの取付板の間に取り付けることを特徴とする請求項１記載のオフセット印刷機のスイングストッパー機構。
【請求項３】
前記Ｒ側フレームの裏面にＬ型ブラケットを取り付け、前記カム付軸を前記Ｒ側フレームと前記Ｌ型ブラケットの間に取り付けることを特徴とする請求項１記載のオフセット印刷機のスイングストッパー機構。
【請求項４】
前記駆動レバーの軸端と前記中間レバーの軸端は、キーで前記レバー付軸に固定して取り付けられることを特徴とする請求項１に記載のオフセット印刷機用スイングストッパー機構。
【請求項５】
前記止付レバーのもう一方の軸端は、キーとホロセットで前記カム付軸に固定して取り付けられることを特徴とする請求項１に記載のオフセット印刷機用スイングストッパー機構。
【発明の詳細な説明】
【技術分野】
【０００１】
本発明は、オフセット印刷機用スイングストッパー機構に関し、より具体的には、オフセット印刷機が送紙異常を発生した時、不正紙が印刷ユニットへ進入することを避けるため、スイング機構に爪で紙を咥えないようにしたオフセット印刷機用スイングストッパー機構に関する。
【背景技術】
【０００２】
オフセット印刷機のスイング機構は、紙受けの経路方式によって、直接紙受け、間接紙受け、オーバー送紙の三つに分けられる。
【０００３】
直接紙受けは、紙をフィーダーテーブルで位置決めした後、直接、圧胴爪から紙を咥え出す方式である。
【０００４】
間接紙受けは、紙をフィーダーテーブルで位置決めした後、最初にスイング爪から紙を咥え出し、次にスイング爪より圧胴爪に紙を受け渡す方式である。その受け渡しの過程において、様々なスイング機構の形態があり、スイング下向きレバー式は最も広く使用されている形態である。
【０００５】
オーバー送紙は、上記した二つの方式と区別される。即ち、紙の位置決め部品を、フィーダーテーブルに取り付けずに圧胴に取り付け、紙をフィーダーテーブルから送紙する時、送紙スピードを圧胴表面のスピードよりもわずかに大きく、このスピードの落差を利用して紙の位置決めを行い、それから再び圧胴爪から紙を咥え出す方式である。
【０００６】
上記した三つの紙受け方式のうち、間接紙受け方式だけは専門的なかつ独立なスイング機構を使用して、紙を受け渡す方式である。
【０００７】
このスイング機構は、オフセット印刷機の重要な部品として、正常な送紙時の紙受け渡しの機能を満足させなければならない。同時に送紙の異常（例えば、２枚止、オーバーラン、紙ずれなど）で、スイング爪動作を停止しなければならない。それにより、不正紙の印刷ユニットへの紙受けや、廃紙の発生あるいは設備の損傷を避けることができる。
【０００８】
本出願人は、特許文献１において「下向きレバー式スイング機構の爪開閉機構」を提案した。その作動原理を図１に示す。
【０００９】
図１に示すように、オフセット印刷機のメインモータからギヤ１８０とスイング爪カム２００を回転駆動させる。この回転駆動により、スイング爪カム２００の主カムの外周曲面と補助カムの外周曲面は、それぞれに１セットのスイングレバー４００、１４０を駆動する。この駆動により、１セットのスイングレバー４００、１４０はキー（軸と関連するものを連結するために溝と合わせて使用する部品）でスイングシャフト２３０を駆動して、予期的な揺動（設計したとおりの搖動）を実現する。
【００１０】
この駆動により、スイングシャフト２３０に固定して取り付けられたレバー１３０は、レバー付カム６００を駆動し、予期的な揺動を実現する。レバー付カム６００の後部とレバー１３０は、スプリング５００で正常な印刷状態で力の閉鎖になっており、レバー付カム６００（図２ａ）の凸面（図２ｂのＩＩ）とレバー１３０のコロに常に接触している。
【００１１】
スイングレバー１１０からフィーダーテーブル４０までの搖動時は、しばらく静止して滞在したままである。この時、レバー付カム６００は反時計回りで最低位置から最高位置まで搖動し、開閉爪コロ１００から爪軸９０を駆動して、スイング爪８０と爪台７０を閉じ、フィーダーテーブル４０で紙を咥えて、紙咥えを実現することができる。
【００１２】
スイングが再加速して、渡胴へ搖動する。この過程で、レバー付カム６００の先端部は最高位置に維持される。即ち、スイング爪８０と爪台７０は紙咥え状態を維持する。スイングから渡胴まで搖動の際、渡胴と同速を維持する。
【００１３】
レバー付カム６００の先端部を時計回りで最高位置から下向きへ搖動して、レバー付カム６００のカープ溝Ｉで挟み込んだ開閉爪コロ１００から爪軸９０を駆動して、それからスイング爪８０と爪台７０を開いて、紙をスイングから渡胴を渡して、正常な紙受け渡しを実現する。
【００１４】
受け渡しを完了したら、紙を渡胴の回転に従って印刷ユニットへ送入して、スイングを下向きへ搖動して、ゆっくり減速し続けて、最低位置で停止する。
【００１５】
その後、再び穏やかにフィーダーテーブル４０へ戻して、次に紙を取ることを待つ。
【００１６】
紙がフィーダーテーブル４０で位置決め異常を発生する時、印刷機のコントロールシステムでストッパー機構動作を制御する。即ち、レバー付カム６００の先端部は、反時計回り方向で最低位置から最高位置までに搖動する時、保護エアーシリンダー２２０のピストンロッドを引っ張って、ストッパー付コマ２００を駆動して回転する。
【００１７】
それから、ストッパー付コマ２００のストッパーを、レバー付カム６００後部のストッパー付コマ２１０にピッタリと合わせる。
【００１８】
レバー付カム６００の先端部が最高位置へ搖動し続けると、レバー１３０のコロとレバー付カム６００のボスＩＩが分離する。
【００１９】
スイングレバー１１０からフィーダーテーブル４０への搖動の過程で、レバー付カム６００の先端部が最低位置になって、スイングレバー１１０からフィーダーテーブル４０までに搖動しても、レバー付カム６００のカーブ溝Ｉに挟み込まれた爪開閉コロ１００は爪軸９０を駆動できず、スイング爪８０と爪台７０も開いた状態になる。
【００２０】
そうなると、紙をフィーダーテーブル４０に保留して、スイングから渡胴へ紙を受け渡すことができず、従って、廃紙の発生を避けることができる。これにより、紙の有効節約を図ることができ、浪費を減らすことができる。
【００２１】
なお、異常が解消されるまで、保護エアーシリンダー２２０のピストンロッドが縮み、レバー付カム６００は再び予期的な搖動を続ける。
【先行技術文献】
【特許文献】
【００２２】
【特許文献１】中国特許第ＺＬ２０１１２０４３２８５０．０号明細書
【発明の概要】
【発明が解決しようとする課題】
【００２３】
しかしながら、上記した従来の技術によれば、以下の問題が存在する。
（１）スプリング５００によって、レバー付カム６００のボスとレバー１３０のコロが常に接触している状態であり、スプリング５００の荷重に変化が生じると、レバー付カム６００にスプリング５００の衝撃の振動が伝わり、高速回転時の紙の受け渡しに対して悪影響を及ぼすという問題がある。
（２）レバー付カム６００の機構が複雑化しコストも高くなるという問題がある。即ち、レバー付カム６００には、図２ｂに示されるようにカーブ溝Ｉ、ボスＩＩの２つの使用面があるため、加工精度が確保しにくく、機構が複雑化しコストも高くなる。
（３）異常な紙送り時には、レバー付カム６００のボスＩＩとレバー１３０のコロが常に接触しないため、レバー１３０のコロとレバー付カム６００のボスＩＩ間に衝撃が発生し、そのために、レバー１３０のコロとレバー付カム６００の機械的寿命に影響を及ぼすばかりでなく、高速印刷する際の紙受け渡しの精度や安定性にも影響を及ぼすという問題がある。
【００２４】
従って、本発明の目的は、フィーダーテーブルでの紙の位置決め異常発生時の衝撃を避けることにより、機械的寿命の向上や高速印刷時の紙受け渡しの精度や安定性を向上させることができるオフセット印刷機用スイングストッパー機構を提供することにある。
【課題を解決するための手段】
【００２５】
本発明は、上記目的を達成するために、Ｒ側とＬ側のフレームの間に取り付けられる渡胴と、前記Ｒ側フレームとＬ側フレームの間に取り付けられたスイング元軸と、該スイング元軸の両端に固定して取り付けられたスイングレバーと、該スイングレバーのもう一方の軸端に取り付けられた爪台取付板及び爪軸と、該爪台取付板に多数間隔で取り付けられた爪台と、該爪軸にセットされて該爪台と対応する複数のスイング爪及び該爪軸のＲ側に取り付けられた爪開閉コロを含むスイング機構と、前記渡胴のＲ側軸端に固定して取り付けられる原動ギヤ及び共役曲線になる外周局面の主カムと補助カムで構成される爪開閉カムと、レバー付軸に固定して取り付けられて一方の軸端が該爪開閉カムの主カムの外周曲面と補助カムの外周曲面に対応してそれぞれ当接する駆動レバーを含む爪開閉機構と、前記Ｒ側フレームの裏側に取り付けられ前記スイング爪と爪台とを閉じないことで紙を咥えないようにした紙送り保護機構と、を備えたオフセット印刷機のスイングストッパー機構において、前記爪開閉機構は、一方の軸端が前記レバー付軸に固定して取り付けられる中間レバーと、一方の軸端が前記中間レバーのもう一方の軸端に連結される連結ロッドと回転センターに一方の軸端のそれぞれが連結され、もう一方の軸端が前記連結ロッドのもう一方の軸端に連結される後部と、もう一方の軸端に前記爪開閉コロを挟み込んで転がすアーク溝が形成された先端部とからなるレバー付カムと、  前記レバー付カムの回転センターに連結され該回転センターと幾何センターが同心であるエキセン付軸のカム付軸と、からなり、前記紙送り保護機構は、ピストン付ロッドを有するストッパー付エアーシリンダーと、支持ピンを介して取り付けられ前記ピストン付ロッドに一方の軸端が連結されもう一方の軸端に止付連結ロッドの一方の軸端が連結されるＶ型レバーと、該止付連結ロッドのもう一方の軸端に一方の軸端が連結される止付レバーと、からなり、該止付レバーのもう一方の軸端は、前記カム付軸に固定して取り付けられる、ことを特徴とするオフセット印刷機のスイングストッパー機構を提供するものである。
【００２６】
以上のこうせいにおいて、前記Ｒ側フレームの表面にカバー付ブラケットを取り付け、前記渡胴のＲ側軸端及びスイング元軸のＲ側軸端をそれぞれ前記Ｒ側フレームに通して前記カバー付ブラケットの取付板に取り付け、前記レバー付軸及び駆動軸をそれぞれ前記Ｒ側フレームと前記カバー付ブラケットの取付板の間に取り付けることが望ましい。
【００２７】
また、前記Ｒ側フレームの裏面にＬ型ブラケットを取り付け、前記カム付軸を前記Ｒ側フレームと前記Ｌ型ブラケットの間に取り付けることが望ましい。
【００２８】
また、前記駆動レバーの軸端と前記中間レバーの軸端は、キーで前記レバー付軸に固定して取り付けられることが望ましい。
【００２９】
また、前記止付レバーのもう一方の軸端は、キーとホロセットで前記カム付軸に固定して取り付けられることが望ましい。
【発明の効果】
【００３０】
本発明のオフセット印刷機用スイングストッパー機構は、以上の構成を有するので、従来の技術と比べると以下の効果を奏することができる。
第１に、全体的な機構にスプリングがないので、フィーダーテーブルで紙が位置決め異常を発生した時に、スプリングの圧力が変化する時のレバー付カムとスプリングとの衝撃による振動を避けることができので、高速印刷中での紙の受渡しを穏やかに行うことができる。これにより、紙受け渡しの精度や安定性も向上させる。また、衝撃による振動を避けることができので、機械的寿命も向上する。
第２に、中間レバーと駆動レバーでレバー付カムを駆動するため、スイング機構によるスペースの占用が小さくなるだけでなく、更にスイング機構も簡単な構成とすることができる。
第３に、レバー付カムにはカーブ溝が一か所だけ設けられる。このカーブ溝から円弧溝に加工されて、レバー付カムの構造が大幅に簡略化され、加工の精度を高めることに優れ、更にコストダウンを図ることができる。
【図面の簡単な説明】
【００３１】
【図１】既存技術のオフセット印刷機用下向きレバー式スイング機構の爪開閉機構の作動原理図である。
【図２】（ａ）は、既存技術のオフセット印刷機用下向きレバー式スイング機構の爪開閉機構にレバー付カムの構造説明図であり、（ｂ）は、（ａ）のＡの正投影図である。
【図３】本発明のオフセット印刷機用スイング爪ストッパー機構の断面図である。
【図４】本発明のオフセット印刷機用スイング爪ストッパー機構の側面図である。
【図５】（ａ）は、本発明のオフセット印刷機用スイング爪機構にレバー付カムの構造説明図であり、（ｂ）は、（ａ）のＢの正投影図であり、（ｃ）は、（ａ）のＣの正投影図である。
【図６】本発明のオフセット印刷機用スイング爪ストッパー機構の作動原理図である。
【図７】本発明のオフセット印刷機用スイング爪ストッパー機構にカム付軸の作動原理図である。
【発明を実施するための形態】
【００３２】
本発明をより良く理解するために、具体的な実施例及び図面に基づき詳細に説明を行う。
【００３３】
図３〜図５は、本発明のオフセット印刷機用スイング爪ストッパー機構を示すものであり、このストッパー機構には、Ｒ側フレーム２９とＬ側フレームの間に取り付けられた渡胴２６、スイング、爪開閉機構及び紙送り保護機構を含む。
【００３４】
渡胴２６は、Ｒ側フレーム２９とＬ側フレームの間に取り付けられている。Ｒ側フレーム２９の表面にはカバー付ブラケット３０が取り付けられている。
【００３５】
Ｒ側フレーム２９の裏面には、Ｌ型ブラケット２８が取り付けられている。渡胴２６のＲ側軸端は、Ｒ側フレーム２９に通され、ベアリングでカバー付ブラケット３０の取付板に取り付けられている。
【００３６】
スイングは、Ｒ側フレーム２９とＬ側フレームの間に取り付けられたスイング元軸２４と、先端からそれぞれにスイング元軸２４の両端に固定して取り付けられた１セットのスイングレバー３と、１セットのスイングレバー３のもう一方の軸端に取り付けられた爪台取付板及び爪軸１８と、多数間隔で爪台取付板に取り付けられた爪台２０と、爪軸１８にセットされ爪台２０に対応した複数のスイング爪１９及び爪軸１８のＲ端に取り付けられた爪開閉コロ１７と、を含む。
【００３７】
スイング元軸２４のＲ側軸端は、Ｒ側フレーム２９に通され、ベアリングでカバー付ブラケット３０の取付板に取り付ける。
【００３８】
爪開閉機構は、原動ギヤ８と、爪開閉カム２と、１セットの駆動レバー４，５と、中間レバー１０と、連結ロッド１１と、レバー付カム１２と、を含む。
【００３９】
このうち、原動ギヤ８と爪開閉カム２は、渡胴２６のＲ側軸端に固定して取り付けられている。
【００４０】
爪開閉カム２は、外周曲面が共役カーブになる主カムと補助カムで構成されている。
【００４１】
１セットの駆動レバー４，５の軸端と中間レバー１０の軸端は、キーでレバー付軸２３に固定して取り付けられている。
【００４２】
レバー付軸２３は、ベアリングでＲ側フレーム２９とカバー付ブラケット３０の取付板の間に取り付けられている。
【００４３】
１セットの駆動レバー４，５のもう一方の軸端の付コロは、爪開閉カム２の主カムの外周曲面と補助カムの外周曲面に対応して一つずつ一致させるように配置されている。連結ロッド１１の軸端は、中間レバー１０のもう一方の軸端に連結されている。
【００４４】
レバー付カム１２は、回転センター及びそれと連結される先端部１２１及び後部１２２を含む。レバー付カム１２の回転センターは、ベアリングでカム付軸１３に連結されている。カム付軸１３は回転センター（Ｐ）から幾何センター（０）までの距離である。即ち、ｅは回転センター（Ｐ）から幾何センター（０）までの距離であるから、ｅのエキセン付軸ということになる。カム付軸１３は、ベアリングでＬ型ブラケット２８とＲ側フレーム２９の間に取り付けられている。
【００４５】
このレバー付カム１２の回転センターは、カム付軸１３に連結されており、カム付軸１３の幾何センターと同心になっている。レバー付カム１２の後部は、連結ロッド１１のもう一方の軸端と連結されている。
【００４６】
図５（ａ）〜図５（ｃ）に示すように、レバー付カム１２の先端部１２１の裏面には、アーク溝１２０が形成されており、このアーク溝１２０に爪開閉コロ１７を挟み込んで転がす。
【００４７】
紙送り保護機構は、ストッパー付エアーシリンダー１６と、Ｖ型レバー１５と、止付連結ロッド１４と、止付レバー２７と、を含む。
【００４８】
このうち、ストッパー付エアーシリンダー１６は、図３に示すように、支持ピン３１でＲ側フレーム２９の裏面に取り付けられている。
【００４９】
Ｖ型レバー１５は、支持ピン２５を介してＲ側フレーム２９の裏側に取り付けられている。Ｖ型レバー１５の軸端は、ストッパー付エアーシリンダー１６のピストンロッドに連結され、もう一方の軸端は、止付連結ロッド１４の一方の軸端と連結されている。
【００５０】
止付連結ロッド１４のもう一方の軸端は、止付レバー２７の一方の軸端に連結されている。止付レバー２７のもう一方の軸端は、キーとホロセットでカム付軸１３に固定して取り付けられている。 
【００５１】
以下、図６と図７を参照して、本発明のオフセット印刷機用スイングストッパー機構の動作原理を説明する。
【００５２】
オフセット印刷機のメインモータは、原動ギヤ８と爪開閉カム２を駆動して回転する。
【００５３】
爪開閉カム２の主カムの外周曲面と補助カムの外周曲面は、それぞれに１セットの駆動レバー４，５を駆動して、幾何学閉鎖を形成する。
【００５４】
中間レバー１０の軸端と１セットの駆動レバー４，５は、キーでレバー付軸２３に固定して取り付けられているので、爪開閉カム２が駆動すれば、１セットの駆動レバー４，５がその外周局面にそって搖動し、レバー付軸２３を回転させる。これにより、中間レバー１０が１セットの駆動レバー４，５に従って搖動させる。
【００５５】
中間レバー１０の一方の軸端に連結された連結ロッド１３でレバー付カム１２の予期的な搖動を実現する。スイングレバー３がフィーダーテーブル４０まで搖動する時に、しばらくの間、静止状態を維持する。
【００５６】
この時、レバー付カム１２は反時計回りで最低位置から最高位置まで搖動し、開閉爪コロ１７が爪軸１８を駆動して、スイング爪１９と爪台２０を閉じ、フィーダーテーブル４０に紙を咥えさせる。これにより、紙咥えを実現することができる。
【００５７】
この後、スイングレバー３は、スイングカム１の駆動で加速して、反時計回りで下向きに搖動する。この過程で、レバー付カム１２の先端部は最高位置に維持される。即ち、スイング爪１９と爪台２０は、紙咥え状態を維持する。
【００５８】
スイングレバー３が渡胴２６の受け渡し位置へ搖動する際に、スイングレバー３のスイング爪１9と爪台２０は、渡胴２６と同じテープスピードを維持する。
【００５９】
レバー付カム１２の先端部１２１は、爪開閉カム２の駆動で時計回りで最高位置から下向きに搖動し、開閉爪コロ１７が爪軸１８を駆動し、スイング爪１９と爪台２０を開いて、紙をスイングから渡胴２６を渡し、正常な紙受渡しを実現する。
【００６０】
受け渡しが完了したら、紙を渡胴２６の回転に従って印刷ユニットに送入し、スイングレバー３を下向きに搖動させ、ゆっくり減速し続けて、最低位置まで来たら停止する。
【００６１】
その後、再び穏やかにフィーダーテーブル４０に戻して、次に紙を取るのを待つ。
【００６２】
正常な紙送りの場合は、ストッパー付エアーシリンダー１６のピストンロッドが縮んでいる状態で、レバー付カム１２の振動の中心、即ち、カム付軸１３の幾何中心を位置０に維持する（図７）。
【００６３】
異常な紙送りの場合は、ストッパー付エアーシリンダー１６のピストンロッドを引っ張って、Ｖ型レバー１５を押え、支持ピン２５介してＶ型レバー１５を時計回りに回転させる。Ｖ型レバー１５は、止付連結ロッド１４に一方の軸端が連結されているので、Ｖ型レバー１５が時計回りに回転すると止付連結ロッド１４が下向きに搖動し、この搖動により、止付連結ロッド１４のもう一方の軸端が連結される止付レバー２７がカム付軸１３を引っ張り、回転センターＰを基準にしてカム付軸１３を反時計回りに回転させる。
【００６４】
この回転により、カム付軸１３の幾何中心を位置０から位置０'に移動させる（図７）。
【００６５】
レバー付カム１２の搖動中心は、カム付軸１３の幾何中心でもあるので、カム付軸１３の回転に伴ってレバー付カム１２のスイング支点も変更される（位置０から位置０'に移動する）。
【００６６】
この時、スイングレバー３の搖動規則は、依然として正常な紙送り時の規則と同様である。
【００６７】
しかし、レバー付カム１２のスイング支点の変化が発生し、レバー付カム１２の先端部１２１の位置が下がるので、レバー付カム１２のアーク溝１２０に挟み込まれた爪開閉コロ１７は爪軸１８を駆動させることができない。
【００６８】
従って、爪軸１８のスイング爪１９と爪台２０は、完全に閉じられなくなるので、紙をフィーダーテーブル４０に保留するほかなく、スイングから渡胴２６に紙を受け渡すことができない。このため、廃紙が発生するのを避けることができ、有効に紙を節約することができる。
【００６９】
異常が解消されるまで、ストッパー付エアーシリンダー１６のピストンロッドは縮んでおり、異常が解消されるとレバー付カム１２は再び予期的な搖動を続ける。
【００７０】
以上の実施例は本発明の説明のためのみであって、その範囲を制限するものではない。この技術分野の技術者は、本発明の精神と範囲を離れない状態で様々な変更や変形をすることもできる。そのため全ての同等な技術も本発明の範疇に属するべきであり、特許請求の範囲によって限定される。
【符号の説明】
【００７１】
２  爪開閉カム
３  スイングレバー
４，５  駆動レバー
８  原動ギヤ
１０  中間レバー
１１  連結ロッド
１２  レバー付カム
１３  カム付軸
１４  止付連結ロッド
１５  Ｖ型レバー
１６  ストッパー付エアーシリンダー
１７  爪開閉コロ
１８  爪軸
１９  スイング爪
２０  爪台
２３  レバー付軸
２４  スイング元軸
２５  支持ピン
２６  渡胴
２７  止付レバー
２８  Ｌ型ブラケット
２９  Ｒ側フレーム
３０  カバー付ブラケット
３１  支持ピン
４０  フィーダーテーブル
１２０  アーク溝
１２１  先端部
１２２  後部
【図１】
2015168213.tif 000003
【図２】
2015168213.tif 000004
【図３】
2015168213.tif 000005
【図４】
2015168213.tif 000006
【図５】
2015168213.tif 000007
【図６】
2015168213.tif 000008
【図７】
2015168213.tif 000009